(57)【要約】    【課題】水道管に設置する水処理装置のケースをプロポリスと有用微生物群であるＥＭ―Ｘセラミックで生成することによってケース内部を通過する水分子を微粒子化して活性化させて細菌を除去して、各種の有害毒素を除去するプロポリスを用いた水処理装置を提供する。    【解決手段】水道管(50)と接触する接触面(21,31) を備えて水道管の両側に固定設置されて、水道管の大きさに応じて固定位置が調節される位置調節手段が上部に結合される左、右ケース(20,30) と、前記左、右ケースの内側に固定されて磁場エネルギーを発散する多数個の磁石体(40)からなる水処理装置において、前記左、右ケースは全体の混合重量を基準でプロポリス粉末１乃至１０重量％と、ＥＭ―Ｘセラミック２乃至１１重量％及び合成樹脂９７乃至８８重量％を混合して、前記混合物を約１００乃至３００℃の温度で液化させた後に所定の管体で成形されている。【選択図】  図２
2007521954.tif 000002
【特許請求の範囲】
【請求項１】
水道管と接触する接触面を備えて水道管の両側に固定設置されて、水道管の大きさに応じて固定位置が調節される位置調節手段が上部に結合される左、右ケースと、前記左、右ケースの内側の上下部に設置された多数個の磁石固定部に固定され磁場エネルギーを発散する多数個の磁石体からなる水処理装置において、
前記左、右ケースは全体の混合重量を基準でプロポリス粉末１乃至１０重量％と、ＥＭ―Ｘセラミック２乃至１１重量％及び合成樹脂９７乃至８８重量％を混合して、前記混合物を約１００乃至３００℃の温度で液化させた後に所定の左、右ケースとして成形されたことを特徴とするプロポリスを用いた水処理装置。
【請求項２】
前記左、右ケースの接触面の一側には左、右ケースを結合させるための結合突起と結合溝が各々対応されるように形成されたことを特徴とする請求項１に記載のプロポリスを用いた水処理装置。
【請求項３】
水道管と接触する接触面を備えて水道管の両側に固定設置されて、水道管の大きさに応じて固定位置が調節される位置調節手段が上部に結合される左、右ケースと、前記左、右ケースの内側の上下部に設置された多数個の磁石固定部に固定され磁場エネルギーを発散する多数個の磁石体からなる水処理装置において、
前記左、右ケース内部の磁石と磁石固定部などをプロポリス５乃至２０重量％と、１００乃至１０００メッシュのＥＭ―Ｘセラミック５乃至２０重量％及びエポキシなどの塗料９０乃至７５重量％の混合物でスプレー塗布するか又は沈殿させることを特徴とするプロポリスを用いた水処理装置。
【請求項４】
円筒状のケースと、前記ケースの内部で水が通過する内部管と、前記内部管の外側面に設置される永久磁石及び前記ケースを外部の水道管や用水管に連結することができる外部流水管と、から構成された水処理装置において、
前記ケースまたは内部管は全体の混合重量を基準でプロポリス粉末１乃至１０重量％と、１００乃至１０００メッシュのＥＭ―Ｘセラミック２乃至１１重量％及び合成樹脂９７乃至８８重量％を混合して、前記混合物を約１００乃至３００℃の温度で液化させた後に所定のケース又は内部管として成形されたことを特徴とするプロポリスを用いた水処理装置。
【請求項５】
前記水が通過する内部管の一側面には所定形状の溝が形成されて、前記溝には内部管の外側面に設置された永久磁石のＮ、Ｓ極と逆方向に永久磁石が装着されたことを特徴とする請求項３に記載のプロポリスを用いた水処理装置。
【請求項６】
円筒状のケースと、前記ケースの内部で水が通過する内部管と、前記内部管の外側面の磁石固定部に設置される永久磁石及び前記ケースを外部の水道管や用水管に連結することができる外部流水管と、から構成された水処理装置において、
前記ケースまたは内部管の磁石と磁石固定部をプロポリス粉末５乃至２０重量％と、１００乃至１０００メッシュのＥＭ―Ｘセラミック５乃至２０重量％及びエポキシなどの塗料９０乃至７５重量％の混合物でスプレー塗布するか又は沈殿塗布させることを特徴とするプロポリスを用いた水処理装置。
【発明の詳細な説明】
【技術分野】
【０００１】
本発明は、抗菌、抗臭、抗酸化及び免疫性、抗炎作用を有するプロポリスと、有用微生物群であるＥＭ(Effective Micro-organisms)を用いたＥＭ―Ｘセラミック及び永久磁石を用いて水が通過する水道管の外部に装着するか又は水道管の一側に水道水が内部に通過されるように設置し通過される水に含有されている微生物及び各種の有害物質を除去して飲用水として適合するようにすっきりと浄化することができるプロポリスを用いた水処理装置に関するものである。
【背景技術】
【０００２】
一般的に各建物と家庭に水道水を供給する水道管は老朽されて漏水、管破損され水道管の寿命を低下させて、ひいては保守作業を必要とすることになる。また、老朽された水道管を通じて各種の有害微生物や有害物質等が水道水を通じて流入されている。
このように、老朽された水道管を通じて流入される各種の有害微生物や有害物質等の根本的な除去のために水道管の全面交換、老朽管の洗浄、放水剤の投入等が使われており、また有害微生物等の抑制のために水道水をオゾン(ozone)で処理するか又は薬品で処理している実情である。
【０００３】
【特許文献１】大韓民国特許第３９６１４９号公報
【発明の開示】
【発明が解決しようとする課題】
【０００４】
しかし、前記の手法はすべて大型装置を必要として、これによる費用の負担も大きいので大きい企業ではないと設置することが難しい問題点があり、既に生成された有害微生物や有害物質等の処理が難しい問題点もある。
【０００５】
このような問題点を解決するために、水道管の両側面に互いに対向する永久磁石を設置して永久磁石の磁力によって永久磁石が設置された部分を通過する水分子が磁化され振動で共振現象が生じて微粒化されると共に、活性化され水の水質を磁化六角水等で改善させる方法と遠赤外線放射物質を設置して遠赤外線で水分子を活性化させて水質を改善させる方法が提示された。
【０００６】
一方、大韓民国特許第３９６１４９号には所定の管体内部に永久磁石を装着して管体の内部流水管の内部にステンレス糸に連結された多数のセラミックを一列に連設して管体の流水管を通過する水を永久磁石の磁気と遠赤外線に接するようにして水分子の極性がプラス、マイナスに分離されて分子レベルで活性化、微粒子化された水は浸透力、溶解力が向上されて腐敗、分解の状態に回復させる多極磁場式遠赤外線清管装置を提示した。
【０００７】
しかし、このような多極磁場式遠赤外線清管装置は遠赤外線放射セラミックが内部流水管の内部にステンレス糸によって一列に連結されるように装着されるのでセラミックをステンレス糸に結合させる作業が非常に煩わしいだけではなく、内部流水管を通過する水分子の水圧によってセラミックがステンレス糸から離脱する問題点がある。
【０００８】
そこで、本発明の目的は、磁力線、プロポリスの波動エネルギー、ＥＭ―Ｘ混合セラミックから放射される遠赤外線によって水を活性化させることができる、プロポリスを用いた水処理装置を提供することにある。
【０００９】
本発明の他の目的は、プロポリスとＥＭ―Ｘセラミックおよび合成樹脂を混合して水道管の外部に着脱設置又は水道管の一側に直接付着されるケースを直接成形して、ケースの内部に永久磁石を装着することによってケースが位置する部分の水道管を通過する水分子を微粒子化し活性化させて、細菌を除去して、各種の有害毒素を除去することができるプロポリスを用いた水処理装置を提供することにある。
【００１０】
本発明のまた他の目的は、水道管の外部に着脱設置されるケースまたは水道管の一側に直接付着されて水が内部に通過されるケース内部の永久磁石、磁石固定部等をプロポリスとＥＭ―Ｘセラミックの混合物を沈殿またはスプレー塗布することでケースの内側に通過する水分子を微粒子化して活性化させて、細菌を除去して、各種の有害毒素を除去するプロポリスを用いた水処理装置を提供することにある。
【課題を解決するための手段】
【００１１】
上述のような目的を達成するための本発明のプロポリスを用いた水処理装置は、水道管（５０）と接触する接触面（２１，３１）を備えて水道管（５０）の両側に固定設置されて、水道管（５０）の大きさに応じて固定位置が調節される位置調節手段が具備される左、右ケース（２０，３０）と、前記左、右ケース（２０，３０）の内側に磁場エネルギーを発散する多数個の磁石体（４０）が装着された水処理装置において、前記左、右ケースは全体の混合重量を基準でプロポリス粉末１乃至１０重量％と、１００乃至１０００メッシュのＥＭ―Ｘセラミック２乃至１１重量％及び合成樹脂９７乃至８８重量％を混合して、前記混合物を約１００乃至３００℃の温度で液化させた後に成形されたことを特徴とする。
【００１２】
好ましくは、ケース内部の磁石と磁石固定部などは全体の混合重量を基準でプロポリス粉末２乃至９８重量％と、１００乃至１０００メッシュのＥＭ―Ｘセラミック９８乃至２重量％との混合物に沈殿および塗布されることを特徴とする。
【００１３】
かつ、本発明のまた他のプロポリスを用いた水処理装置は、円筒状のケース（５１）と、前記ケースの内部で水が通過する内部管（５３）と、前記内部管の外側面に設置される永久磁石（５４）及び前記ケースを外部の水道管や用水管に連結することができる外部流水管（５２）と、から構成された水処理装置において、前記ケースまたは内部管は全体の混合重量を基準でプロポリス粉末１乃至１０重量％と、１００乃至１０００メッシュのＥＭ―Ｘセラミック２乃至１１重量％及び合成樹脂９７乃至８８重量％を混合して、前記混合物を約１００乃至３００℃の温度で液化させた後に成形されたことを特徴とする。
【００１４】
好ましく、前記水を通過する内部管の一側面には所定形状の溝が形成されて、前記溝には内部管の外側面に設置された永久磁石のＮ、Ｓ極と逆方向に永久磁石が装着されたことを特徴とする。
【発明を実施するための最良の形態】
【００１５】
以下、添付された図面を参照して本発明の構成及び作用について詳しく説明する。図１は本発明の一実施例によって水道管の両側に設置される外部設置型の水処理装置の斜視図であり、図２は図１のＡ−Ａの切断面図であり、図３は図１のＢ−Ｂの切断面図であり、図４は本発明の他の実施例による外部設置型の水処理装置の斜視図であり、図５は図４の断面図であり、図６は本発明のまた他の一実施例による円筒状の水処理装置の断面図であり、図７及び図８は本発明の他の実施例による円筒状の水処理装置の水平断面図であり、図９は図１の外部設置型の水処理装置の遠赤外線放射写真である。
【００１６】
本発明の一実施例によって水道管の両側面に設置される水処理装置は図１に示すように、水道管（５０）と接触する接触面（２１，３１）を備えて水道管（５０）の両側に設置される左、右ケース（２０，３０）と、前記左、右ケース（２０，３０）の内部に固定された多数の永久磁石（４０）からなる。
【００１７】
図２に示すように、水道管（５０）と接触する接触面（２１，３１）は円形の水道管（５０）が滑ることを防止し安定に固定できるように滑り止め突起が形成される。
【００１８】
図２及び図３に示すように、左、右ケースの内部には永久磁石を支持する磁石固定部（２２，３２）が形成されて、磁石固定部（２２，３２）には永久磁石（４０）が各々設置される。左、右ケースに各々装着される永久磁石（４０）は互いに対向する極を持つように装着される。すなわち、一側ケースに装着される永久磁石のＮ極が接触面に向かうように配置されると、他側ケースに装着される永久磁石はＳ極が接触面に向かうように配置される。したがって、接触面（２１，３１）を貫通する水道管（５０）に流れる水が磁力と遠赤外線、プロポリスの波動エネルギーによって磁化処理されて大きい塊となっていた水分子の構造が回転、共鳴共振、伸縮現象を生じて水塊を分解させて水の構造を微粒子化させる。
【００１９】
左、右ケースの接触面の一側には左、右ケースを結合させるための結合突起（２３，２３´）と結合溝（２４，２４´）がそれぞれ対向して形成される。したがって、一側ケースに形成された結合突起（２３，２３´）と他側ケースに形成された結合溝（２４，２４´）は互いに対向する永久磁石の磁力によって結合されて容易に分離されない。
【００２０】
図４及び図５の他の実施例による外部設置型の水処理装置のように、一側ケースには固定ボルト（２５，２５´）を形成し、他側ケースには固定ナット（２６，２６´）を形成して、固定ボルト（２５，２５´）と固定ナット（２６，２６´）の結合で左、右ケースを締結させることができる。
【００２１】
このような本発明の左、右ケース（２０，３０）は全体の混合重量を基準でプロポリス粉末１乃至１０重量％と、ＥＭ―Ｘセラミック２乃至１１重量％及び合成樹脂９７乃至８８重量％を混合して、混合物を約１００乃至３００℃の温度で液化させた後に所定のケースで成形される。
【００２２】
一般的にプロポリスは多様な植物から樹脂状物質を抽出したもので、含有された成分としては樹脂５０％、蜜蝋３０％、精油などの油性成分１０％、花粉５％、有機物及びミネラル物質５％などを含有する天然抗生物質で、プロポリスの作用では枯草菌、ブドウ球菌、白癬菌、大腸菌、トリコモナス菌、サルモネラ菌などによる蛋白質合成を抑制して抗菌作用が優れて、細胞膜を強化して細胞の作用を活発にして、抗アレルギー作用、鎮痛作用、止血作用、消炎作用と生体の免疫機能を高める活性酸素を抑制する作用をする。プロポリスをＭＲＡ（共鳴磁気分析器）で分析してみると樹種に応じて少しずつ差はあるが表１のような波動数値を見られる。
【００２３】
【表１】
2007521954.tif 000003
【００２４】
この際、波動分析値の測定値は＋２１から−２１までの４３段階であり、数値が＋２１であれば共鳴も１００％であり、数値が０であれば共鳴も５０％であり、数値が−２１であれば共鳴も０％である。
【００２５】
本発明のケースの製造に混合されるプロポリス(propolis)は粉末全体の重量に対して１乃至１０重量％添加される。この際、プロポリスの添加量が１重量％以下であればプロポリスの抗菌、抗ウイルス作用が減少されて、プロポリスの添加量が１０重量％以上であれば添加される合成樹脂の量が減少されて水処理装置の左、右ケースとして成形の際ケースの硬度などが増加され壊れやすくなる短所がある。
【００２６】
一方、本発明のＥＭ―Ｘセラミックは有害微生物を抑制させて有用な微生物を活性化させる有用微生物群（ＥＭ；Effective Micro-organisms ）を鉱石粉末及び黄土と混合して６００乃至１２００℃等の高い温度で加熱して製造されたＥＭ―Ｘセラミックである。このようなＥＭ―ＸセラミックはＥＭの特性である抗酸化力と、鉱石粉末と黄土の特徴である遠赤外線放射能力が維持される。
【００２７】
このように形成されたＥＭ―Ｘセラミックは１００乃至１０００メッシュに粉砕したのち全体重量を基準で２乃至１１重量％添加される。この際、ＥＭ―Ｘセラミックの添加量が２重量％以下であればＥＭ―Ｘセラミックの抗酸化力と遠赤外線放射能力が減少されて、ＥＭ―Ｘセラミックの添加量が１１重量％以上であれば添加される合成樹脂の量が減少されて水処理装置の左、右ケースとして成形の際ケースの硬度などが増加され壊れやすくなる短所がある。
【００２８】
また、本発明の合成樹脂はポリビニルクロライド（ＰＶＣ）、ポリエチレン（ＰＥ）、ポリプロピレン（ＰＰ）、アクリロニトリルーブタジエンースチレン（ＡＢＳ）、ポリアミド（ＰＡ）、ポリエチレンテレフタレート（ＰＥＴ）等が使用可能で、好ましくはアクリロニトリルーブタジエンースチレン（ＡＢＳ）が使われる。
【００２９】
このような合成樹脂は全体重量を基準で９７乃至８８重量％が添加される。この際、合成樹脂の添加量が８８重量％以下であれば相対的にプロポリスとＥＭ―Ｘセラミックの混合量が増加され左、右ケースの成形の際ケースの硬度が増加され壊れやすくなる短所があり、合成樹脂の添加量が９７重量％以上であればプロポリスとＥＭ―Ｘセラミックの特性が減少される短所がある。
【００３０】
その故に、プロポリス、ＥＭ―Ｘセラミック粉末、合成樹脂の混合物は約１００乃至３００℃の温度で液化させた後に所定のケースで成形させる。
【００３１】
また、本発明の水処理装置は合成樹脂を用いてケースを成形した後に、ケース内部の永久磁石、磁石固定部などは、混合重量を基準でプロポリス５乃至２０重量％と、１００乃至１０００メッシュのＥＭ―Ｘセラミック５乃至２０重量％及びエポキシなどの塗料９０乃至７５重量％を混合してスプレー塗布するか又は沈殿させて製作することができる。この際、塗料の添加量が９０重量％以上であればプロポリスとＥＭ―Ｘセラミックの特性が減少される短所があって、塗料の添加量が７５重量％以下であればプロポリスとＥＭ―Ｘセラミックの添加量が増加され不経済な短所がある。
【００３２】
このように、プロポリスとＥＭ―Ｘセラミック、合成樹脂を混合してケースを成形して、その内部の磁石と磁石固定部などをプロポリスとＥＭ―Ｘセラミック混合液に沈殿させて製造することによって、それらが有している性能をより強力に発揮させることができる長所がある。
【００３３】
＜実施例１＞  遠赤外線の測定
プロポリス、ＥＭ―Ｘセラミック粉末、合成樹脂の混合物を用いて、図１に示したような水道管の両側に設置される水処理装置を製作して、ＭＣＴ検出器を装着した赤外分光計（ＦＴ−ＩＲ；Fourier Transform Interferometric Spectrometer）を用いて放射率と放射エネルギーの量を測定して表２に示して、赤外線熱画像装置を用いて赤外線熱画像測定写真を図９に示した。
【００３４】
【表２】
2007521954.tif 000004
【００３５】
図９に示すように、プロポリス、ＥＭ―Ｘセラミック粉末、合成樹脂を混合して製造したケースの全体から遠赤外線が測定されて、表２のようにケースから０．８９３の放射率と３．４４×１０2のエネルギーが放射されることを分かる。
【００３６】
＜実施例２＞  抗菌実験
水処理装置のケースを４ｃｍ×４ｃｍの試片に分離して滅菌処理した後、試片に大腸菌(Escherichia coli ATCC 25922）、緑膿菌(Pseudominas aeruginosa ATCC 15442）を配合した状態で２４時間培養してその結果を表３に示した。
【００３７】
【表３】
2007521954.tif 000005
【００３８】
表３のように、プロポリス、ＥＭ―Ｘセラミック粉末、合成樹脂を混合して製造された水処理装置のケースは大腸菌および緑膿菌に対して各々96％、94.7％の静菌減少率を示して高い抗菌性を有することを分かる。
【００３９】
＜実施例３＞  飲用水実験
家庭用の水道管の一側に本発明の水処理装置を設置して水処理装置を通過した水約３リットル程度を入れて飲用水に適合するかどうかを各種細菌、有害金属及び有害有機物、有害元素などを測定して表４に示した。
【００４０】
【表４】
2007521954.tif 000006
【００４１】
表４のように、プロポリス、ＥＭ―Ｘセラミック粉末、合成樹脂を混合して製造された水処理装置を通過した水は各種の細菌、有害金属及び有害金属イオンは検出されなかったし、ｐＨ、濁度、色度、蒸発残留物などが飲用水の基準より著しく減少され飲用水として適するということが分かる。
【００４２】
一方、図６及び図７に示すように、本発明のまた他の実施例による水道管に設置される水処理装置は円筒状ケース（５１）と、円筒状ケースの内部に流入された水が流れる一つ以上の内部管（５３）と、内部管の外側に形成された磁石固定部（５５）に装着された永久磁石（５４，５４´）及び円筒状ケースを外部の水道管や用水管に連結することができる外部流水管（５２）と、からなる。
【００４３】
この際、円筒状ケース（５１）及び内部管（５３）は前述したように、全体の混合重量を基準でプロポリス粉末１乃至１０重量％と、ＥＭ―Ｘセラミック２乃至１１重量％及び合成樹脂９７乃至８８重量％を混合して、混合物を約１００乃至３００℃の温度で液化させた後に所定のケースに成形される。
【００４４】
内部管（５３）は円筒状ケースの大きさに応じて多様に設置可能で、各内部管（５３）の外部に永久磁石が固定される磁石固定部が形成されて、磁石固定部に永久磁石が設置され内部管（５３）を通過する水に永久磁石から形成された磁気力線が影響を及ぼすようにする。この際、内部管（５３）の外部に装着される永久磁石（５４）は一側に装着された永久磁石がＮ極であれば対向する部分の永久磁石がＳ極で交差されるように配置させ前記内部管（５３）内に流れる水は磁力線と遠赤外線、プロポリス波動エネルギーによって磁化処理され大きい塊の構造の水分子を回転、共鳴共振、伸縮させて水の構造を微粒子化させる。
【００４５】
そして、図７に示すように、本発明の円筒状の水処理装置は円筒状ケース（５１）と、円筒状ケースの内部に流入された水が流れる一つ以上の内部管（５３）と、内部管の外側に形成された磁石固定部（５５）に装着された永久磁石（５４）、及び円筒状ケースを外部の水道管や用水管に連結することができる外部流水管（５２）とからなり、内部管の内部には所定形状の溝が形成されて、溝には磁石固定部に装着された永久磁石に対応される永久磁石（５７）が装着される。
【００４６】
このように、内部管（５３）の内部に永久磁石（５７）を装着すると内部管を通過する水が直接永久磁石に接することになり通過される水分子の回転、共鳴又は共振を生じて水塊を分解させて水の構造を微粒子化させる。
【００４７】
かつ、本発明の水処理装置は合成樹脂を用いてケースを成形した後に、ケース内部の磁石、磁石固定部などは、混合重量を基準でプロポリス５乃至２０重量％と、１００乃至１０００メッシュのＥＭ―Ｘセラミック５乃至２０重量％及びエポキシなどの塗料９０乃至７５重量％を混合してスプレー塗布するか又は沈殿させて製作することができる
【産業上の利用可能性】
【００４８】
以上説明したように、本発明によるプロポリスを用いた水処理装置はケースをプロポリスとＥＭ―Ｘセラミック及び合成樹脂を混合して成形するのでケース内部を通過する水分子を微粒子化し活性化させると共に、プロポリスの波動エネルギー及びＥＭ―Ｘセラミックの遠赤外線による細菌の除去および各種の有害毒素を除去して飲用水として非常に適するように活性化させる長所がある。
【００４９】
また、プロポリスとＥＭ―Ｘセラミック及び合成樹脂を水道管の一側に付着して水道管を通過する水に間接的に影響を及ぼす水処理装置または水道管に直接介して水が通過される水処理装置のケースを製作するので別途の遠赤外線放射物質を装着する必要なく簡単に製作することができる。
【００５０】
また、本発明の水処理装置は水処理装置を通過する水分子を活性化させることによって水道管のスケール、スライムなどを物理的に除去して水道管の寿命を延ばして、維持費を減らす等いろいろな経済的な効果を得られると共に、細菌繁殖が多い水処理装置の周辺まで抗菌、抗酸化などの作用能力を有する。
【００５１】
また、浄水器とともに設置することで水の活性化、不純物除去、フィルタ交換期間の延長などの長所がある。
【図面の簡単な説明】
【００５２】
【図１】本発明の一実施例によって水道管の両側に設置される外部設置型の水処理装  置の斜視図である。
【図２】図１のＡ−Ａの切断面図である。
【図３】図１のＢ−Ｂの切断面図である。
【図４】本発明の他の実施例による外部設置型の水処理装置の斜視図である。
【図５】図４の断面図である。
【図６】本発明のまた他の一実施例による円筒状の水処理装置の断面図である。
【図７】図２の水平断面図である。
【図８】本発明の他の実施例による円筒状の水処理装置の断面図である。
【図９】図１の外部設置型の水処理装置の遠赤外線放射写真を示す図てある。
【符号の説明】
【００５３】
２０，３０      ケース
２１，３１      接触面
２２、３２、５５      磁石固定部
２３，２３´      結合突起
２４、２４´      結合溝
２５，２５´      固定ボルト
２６，２６´      固定ナット
４０，５４        永久磁石（磁石体）
【図１】
2007521954.tif 000007
【図２】
2007521954.tif 000008
【図３】
2007521954.tif 000009
【図４】
2007521954.tif 000010
【図５】
2007521954.tif 000011
【図６】
2007521954.tif 000012
【図７】
2007521954.tif 000013
【図８】
2007521954.tif 000014
【図９】
2007521954.tif 000015
【国際調査報告】
2007521954.tif 000016
2007521954.tif 000017